(57)【要約】      （修正有）【課題】半水石膏粉の汎用水を用いた流動性練和材を、高い滑面性とチキソトロピー性とを有し且つほとんど内部気泡を有しないものとして作業性良く容易に生成することができる半水石膏粉の汎用水を用いた流動性練和材生成用具を提供する。【解決手段】半水石膏粉の汎用水を用いた流動性練和材生成用具Ａであって、形状復帰自在に形状変化させて把持し得且つ透明性乃至半透明性を有する材質と大きさとを有するとともに、外面に、半水石膏粉の汎用水を用いた流動性練和材生成用の上記半水石膏粉の計量に対応している汎用水計量用目盛５を付している椀状体本体３を有する汎用椀状体でなる。【選択図】図１
2014087503.tif 000002
【特許請求の範囲】
【請求項１】
形状復帰自在に形状変化させて把持し得且つ透明性乃至半透明性を有する材質と大きさとを有するとともに、外面に、半水石膏粉の汎用水を用いた流動性練和材生成用の上記半水石膏粉の計量に対応している汎用水計量用目盛を付している椀状体本体を有する汎用椀状体でなる、ことを特徴とする半水石膏粉の汎用水を用いた流動性練和材生成用具。
【請求項２】
形状復帰自在に形状変化させて把持し得且つ透明性乃至半透明性を有する材質と大きさとを有するとともに、外面に、第1の半水石膏粉の第1の汎用水を用いた第1の流動性練和材生成用の上記第1の半水石膏粉の計量に対応している第1の汎用水計量用目盛と、第２の半水石膏粉の第２の汎用水を用いた第２の流動性練和材生成用の上記第２の半水石膏粉の計量に対応している第２の汎用水計量用目盛とを付している椀状体本体を有する汎用椀状体でなる、ことを特徴とする半水石膏粉の汎用水を用いた流動性練和材生成用具。
【請求項３】
形状復帰自在に形状変化させて把持し得且つ透明性乃至半透明性を有する材質と大きさとを有するとともに、外面に、半水石膏粉の汎用水を用いた流動性練和材生成用の上記半水石膏粉の計量に対応している汎用水計量用目盛と、一般汎用水計量目盛とを付している椀状体本体を有する汎用椀状体でなる、ことを特徴とする半水石膏粉の汎用水を用いた流動性練和材生成用具。
【請求項４】
形状復帰自在に形状変化させて把持し得且つ透明性乃至半透明性を有する材質と大きさとを有するとともに、外面に、第1の半水石膏粉の第1の汎用水を用いた第1の流動性練和材生成用の上記第1の半水石膏粉の計量に対応している第1の汎用水計量用目盛と、第２の半水石膏粉の第２の汎用水を用いた第２の流動性練和材生成用の上記第２の半水石膏粉の計量に対応している第２の汎用水計量用目盛と、一般汎用水計量目盛とを付している椀状体本体を有する汎用椀状体でなる、ことを特徴とする半水石膏粉の汎用水を用いた流動性練和材生成用具。
【請求項５】
請求項１、２、３または４に記載の流動性練和材生成用具において、
上記椀状体本体の外面に、流動性練和材生成法手順説明文が付されている、ことを特徴とする半水石膏粉の汎用水を用いた流動性練和材生成用具。
【請求項６】
形状復帰自在に形状変化させて把持し得且つ透明性乃至半透明性を有する材質と大きさとを有するとともに、外面に、半水石膏粉の汎用水を用いた流動性練和材生成用の上記半水石膏粉の計量に対応している汎用水計量用目盛を付している椀状体本体を有する汎用椀状体でなる流動性練和材生成用具を用い、その椀状体本体内に汎用水を当該椀状体本体の外面に付されている汎用水計量用目盛に合せて注水し、その状態で、その椀状体本体内にそれに注水した汎用水上から半水石膏粉を計量して投入し、次で上記椀状体本体をそれが形状変化の許容のもとに把持して上記椀状体本体内で上記半水石膏粉を上記汎用水を用いて練和することで上記半水石膏粉の上記汎用水を用いた流動性練和材を生成する、ことを特徴とする半水石膏粉の汎用水を用いた流動性練和材生成法。
【請求項７】
形状復帰自在に形状変化させて把持し且つ透明性乃至半透明性を有する材質と大きさとを有するとともに、外面に、半水石膏粉の汎用水を用いた流動性練和材生成用の上記半水石膏粉の計量に対応している汎用水計量用目盛と、流動性練和材生成法手順説明文とを付している椀状体本体を有する汎用椀状体でなる流動性練和材生成用具を用い、その椀状体本体の外面に付されている上記流動性練和材生成法手順説明文の内容に従い、その椀状体本体内に汎用水を当該椀状体本体の外面に付されている汎用水計量用目盛に合せて注水し、その状態で、上記椀状体本体内にそれに注水した汎用水の面上から半水石膏粉を計量して投入し、次でその椀状体本体をそれが形状変化の許容のもとに把持して上記椀状体本体内で上記半水石膏粉を上記汎用水を用いて練和することで上記半水石膏粉の上記汎用水を用いた流動性練和材を生成する、ことを特徴とする半水石膏粉の汎用水を用いた流動性練和材生成法。
【発明の詳細な説明】
【技術分野】
【０００１】
本発明は、半水石膏粉の汎用水を用いた流動性練和材生成用具及びそれを使用した半水石膏粉の汎用水を用いた流動性練和材生成法に関する。
【背景技術】
【０００２】
歯科用模型(歯型)などの各種模型を製作したり、歯科用模型(歯型) などの各種模型に対する技工作業においてその各種模型を固定したり、各種の遺跡などから発掘によって出土する各種の物品の部材乃至破片を接合して各種の物品を復元したり、人間の各種部位の美容上のパックをしたりするために、半水石膏粉の汎用水を用いた歯科用などの各種の用途用の流動性練和材が広く用いられている。
【０００３】
従来、上述した半水石膏粉の汎用水を用いた歯科用などの各種の用途用の流動性練和材を、椀状体本体を有する汎用椀状体でなる半水石膏粉の汎用水を用いた流動性練和材生成用具を用い、その汎用椀状体の椀状体本体内に先ず半水石膏粉を計量して投入し、次いで、同じ椀状体本体内にそれに投入した半水石膏粉上から汎用水の注水を行いながら、椀状体本体内で、半水石膏粉を椀状体本体内に注水した汎用水を用いて練和することで、椀状体本体内に生成すること
(これを、従来の第1の半水石膏粉の汎用水を用いた流動性練和材生成法という。) が行なわれている。
【０００４】
しかしながら、そのような従来の第1の半水石膏粉の汎用水を用いた流動性練和材生成法の場合、汎用椀状体の椀状体本体内にそれに投入した半水石膏粉上から汎用水の注水を行うときのその注水時間と汎用水の流量とを椀状体本体内に投入した半水石膏粉の量に応じて精密に制御しない限り、汎用水の半水石膏粉に対する混水比を最適値またはそれに近い適値にするのが非常に困難であることにより、その半水石膏粉の汎用水を用いた流動性練和材を高い滑面性とチキソトロピー性とを有し且つほとんど内部気泡を有しないものとして生成するのに困難を伴う、という欠点を有していた。
【０００５】
また、従来、上述した第1の半水石膏粉の汎用水を用いた流動性練和材生成法で生成されるのと同様の半水石膏粉の汎用水を用いた流動性練和材を、上述した第1の半水石膏粉の汎用水を用いた流動性練和材生成法の場合と同様に、椀状体本体を有する汎用椀状体でなる半水石膏粉の汎用水を用いた流動性練和材生成用具を用い、その汎用椀状体の椀状体本体内に、先ず第1の半水石膏粉の汎用水を用いた流動性練和材生成法の場合とは異なり汎用水を計量して注水し、次いで、同じ椀状体本体内に、それに注入した汎用水上から半水石膏粉を投入し、その半水石膏粉を椀状体本体内に注水した汎用水を用いて練和することで、椀状体本体内に生成すること(これを、従来の第２の半水石膏粉の汎用水を用いた流動性練和材生成法という。)も行われている。
【０００６】
しかしながら、そのような従来の第２の半水石膏粉の汎用水を用いた流動性練和材生成法の場合、汎用椀状体の椀状体本体内に汎用水を注水してから半水石膏粉を投入し、その半水石膏粉を汎用水を用いて練和するが、椀状体本体内に汎用水を注水してから半水石膏粉を投入する過程で椀状体本体内に実際に注水した汎用水の量を容易確実に確認する手立てが椀状体本体上に存在しないため、半水石膏粉の投入量に誤りを生ぜしめるおそれを有するとともに、半水石膏粉を投入する作業性に低下を生ぜしめるおそれを有する、という欠点を有していた。
【先行技術文献】
【特許文献】
【０００７】
【特許文献１】特開２００８−１２６００６号公報
【発明の概要】
【発明が解決しようとする課題】
【０００８】
本発明の1つの目的は、半水石膏粉の汎用水を用いた歯科用などの各種の用途用の流動性練和材を、［背景技術］で上述した従来の第１の半水石膏粉の汎用水を用いた流動性練和材生成法、及び第2の半水石膏粉の汎用水を用いた流動性練和材生成法の場合と同様に、汎用椀状体でなる半水石膏粉の汎用水を用いた流動性練和材生成用具を用いて生成するが、その汎用椀状体でなる半水石膏粉の汎用水を用いた流動性練和材生成用具として、半水石膏粉の汎用水を用いた流動性練和材を、［背景技術］で上述した従来の第１の半水石膏粉の汎用水を用いた流動性練和材生成法の欠点、及び第２の半水石膏粉の汎用水を用いた流動性練和材生成法の欠点を伴うことなしに生成することができる、新規な汎用椀状体でなる半水石膏粉の汎用水を用いた流動性練和材生成用具を提案せんとするものである。
【０００９】
また、本発明の他の1つの目的は、本発明による上述した新規な汎用椀状体でなる半水石膏粉の汎用水を用いた流動性練和材生成用具を用いて、半水石膏粉の汎用水を用いた歯科用などの各種の用途用の流動性練和材を、［背景技術］で上述した従来の第1の半水石膏粉の汎用水を用いた流動性練和材生成法の欠点、及び第2の半水石膏粉の汎用水を用いた流動性練和材生成法の欠点を伴うことなしに容易に生成することができる、新規な汎用椀状体でなる半水石膏粉の汎用水を用いた流動性練和材生成法を提案せんとするものである。
【課題を解決するための手段】
【００１０】
本願第1番目の発明は、半水石膏粉の汎用水を用いた流動性練和材生成用具であって、形状復帰自在に形状変化させて把持し得且つ透明性乃至半透明性を有する材質と大きさとを有するとともに、外面に、半水石膏粉の汎用水を用いた流動性練和材生成用の上記半水石膏粉の計量に対応している汎用水計量用目盛を付している椀状体本体を有する汎用椀状体でなる、ことを特徴とする。
【００１１】
本願第２番目の発明は、本願第1番目の発明で述べたと同様に半水石膏粉の汎用水を用いた流動性練和材生成用具であって、形状復帰自在に形状変化させて把持し得且つ透明性乃至半透明性を有する材質と大きさとを有するとともに、外面に、第1の半水石膏粉の第1の汎用水を用いた第1の流動性練和材生成用の上記第1の半水石膏粉の計量に対応している第1の汎用水計量用目盛と、第２の半水石膏粉の第２の汎用水を用いた第２の流動性練和材生成用の上記第２の半水石膏粉の計量に対応している第２の汎用水計量用目盛とを付している椀状体本体を有する汎用椀状体でなる、ことを特徴とする。
【００１２】
本願第３番目の発明は、本願第1番目の発明で述べたと同様に半水石膏粉の汎用水を用いた流動性練和材生成用具であって、形状復帰自在に形状変化させて把持し得且つ透明性乃至半透明性を有する材質と大きさとを有するとともに、外面に、半水石膏粉の汎用水を用いた流動性練和材生成用の上記半水石膏粉の計量に対応している汎用水計量用目盛と、一般汎用水計量目盛とを付している椀状体本体を有する汎用椀状体でなる、ことを特徴とする。
【００１３】
本願第４番目の発明は、本願第1番目の発明で述べたと同様に半水石膏粉の汎用水を用いた流動性練和材生成用具であって、形状復帰自在に形状変化させて把持し得且つ透明性乃至半透明性を有する材質と大きさとを有するとともに、外面に、第1種類の半水石膏粉の汎用水を用いた第1種類の流動性練和材生成用の上記第1種類の半水石膏粉の計量に対応している第1種類の汎用水計量用目盛と、第２種類の半水石膏粉の汎用水を用いた第２種類の流動性練和材生成用の上記第２種類の半水石膏粉の計量に対応している第２種類の汎用水計量用目盛と、一般汎用水計量目盛とを付している椀状体本体を有する汎用椀状体でなる、ことを特徴とする。
【００１４】
本願第５番目の発明は、本願第1番目の発明で述べたと同様に半水石膏粉の汎用水を用いた流動性練和材生成用具であって、本願第１、２、３または４の発明に係る汎用椀状体でなる流動性練和材の生成用具において、上記汎用椀状体の外面に、流動性練和材生成法手順説明文が付されている、ことを特徴とする。
【００１５】
本願第６番目の発明は、半水石膏粉の汎用水を用いた流動性練和材生成法であって、形状復帰自在に形状変化させて把持し得且つ透明性乃至半透明性を有する材質と大きさとを有するとともに、外面に、半水石膏粉の汎用水を用いた流動性練和材生成用の上記半水石膏粉の計量に対応している汎用水計量用目盛を付している椀状体本体を有する汎用椀状体でなる流動性練和材生成用具を用い、その椀状体本体内に汎用水を当該椀状体本体の外面に付されている汎用水計量用目盛に合せて注水し、その状態で、その椀状体本体内にそれに注水した汎用水上から半水石膏粉を計量して投入し、次で上記椀状体本体をそれが形状変化の許容のもとに把持して上記椀状体本体内で上記半水石膏粉を上記汎用水を用いて練和することで上記半水石膏粉の上記汎用水を用いた流動性練和材を生成する、ことを特徴とする。
【００１６】
本願第７番目の発明は、本願第６番目の発明で述べたと同様に半水石膏粉の汎用水を用いた流動性練和材生成法であって、形状復帰自在に形状変化させて把持し得且つ透明性乃至半透明性を有する材質と大きさとを有するとともに、外面に、半水石膏粉の汎用水を用いた流動性練和材生成用の上記半水石膏粉の計量に対応している汎用水計量用目盛と、流動性練和材生成法手順説明文とを付している椀状体本体を有する汎用椀状体でなる流動性練和材生成用具を用い、その椀状体本体の外面に付されている上記流動性練和材生成法手順説明文の内容に従い、その椀状体本体内に汎用水を当該椀状体本体の外面に付されている汎用水計量用目盛に合せて注水し、その状態で、上記椀状体本体内にそれに注水した汎用水の面上から半水石膏粉を計量して投入し、次でその椀状体本体をそれが形状変化の許容のもとに把持して上記椀状体本体内で上記半水石膏粉を上記汎用水を用いて練和することで上記半水石膏粉の上記汎用水を用いた流動性練和材を生成する、ことを特徴とする。
【発明の効果】
【００１７】
本願第１番目の発明に係る半水石膏粉の汎用水を用いた流動性練和材生成用具によれば、それを用いて、流動性練和材としての複数の練和材を作業性良く容易に各別に生成することができる。
【００１８】
本願第２番目の発明に係る半水石膏粉の汎用水を用いた流動性練和材生成用具によれば、それを用いて、第１の流動性練和材としての複数の練和材を作業性良く容易に各別に生成することができるとともに、第２の流動性練和材としての複数の練和材を作業性良く容易に各別に生成することができる。
【００１９】
本願第３番目の発明に係る半水石膏粉の汎用水を用いた流動性練和材生成用具によれば、それを用いて、流動性練和材としての複数の練和材を作業性良く容易に各別に生成することができるとともに、一般汎用水計量目盛を有するので、別途一般汎用水計量器を用意することなしに、必要に応じ、随時、一般的に使用する汎用水を計量することができる。
【００２０】
本願第４番目の発明に係る半水石膏粉の汎用水を用いた流動性練和材生成用具によれば、それを用いて、第１の流動性練和材としての複数の練和材を作業性良く容易に各別に生成することができるとともに、第２の流動性練和材としての複数の練和材を作業性良く容易に各別に生成することができる、さらに、一般汎用水計量目盛を有するので、別途一般汎用水計量器を用意することなしに、必要に応じ、随時、一般的に使用する汎用水を計量することができる。
【００２１】
本願第５番目の発明に係る半水石膏粉の汎用水を用いた流動性練和材生成用具によれば、それを用いて、流動性練和材を作業性良く容易に生成することができるとともに、流動性練和材生成法手順説明文を有するので、流動性練和材を予定の手順で誤りなしに生成することができる。
【００２２】
本願第６番目の発明に係る半水石膏粉の汎用水を用いた流動性練和材生成法によれば、それによって、流動性練和材としての複数の練和材を作業性良く容易に各別に生成することができる。
【００２３】
本願第７番目の発明に係る半水石膏粉の汎用水を用いた流動性練和材生成法によれば、それによって、流動性練和材としての複数の練和材を作業性良く容易に各別に生成することができるとともに、流動性練和材生成法手順説明文を有するので、流動性練和材としての複数の練和材を予定の手順で誤りなしに生成することができる。
【図面の簡単な説明】
【００２４】
【図１】図１は、本発明による半水石膏粉の汎用水を用いた流動性練和材生成用具の実施例を示す正面図である。
【図２】図２は、本発明による半水石膏粉の汎用水を用いた流動性練和材生成用具の実施例を示す左側面図である。
【図３】図３は、本発明による半水石膏粉の汎用水を用いた流動性練和材生成用具の実施例を示す右側面図である。
【図４】図４は、本発明による半水石膏粉の汎用水を用いた流動性練和材生成用具の実施例を示す背面図である。
【図５】図５は、本発明による半水石膏粉の汎用水を用いた流動性練和材生成用具の実施例を示す平面図である。
【図６】図６は、本発明による半水石膏粉の汎用水を用いた流動性練和材生成用具、及び本発明による半水石膏粉の汎用水を用いた流動性練和材生成法の説明に供する計量用カップの例を示す斜視図である。
【発明を実施するための形態】
【００２５】
本発明に係る半水石膏粉の汎用水を用いた流動性練和材生成用具を、形状復帰自在に形状変化させて把持し得且つ透明性乃至半透明性を有する材質と大きさを有するとともに、外面に半水石膏粉の計量に対応している汎用水計量用目盛を付している椀状体本体を有する汎用椀状体を以って実施した。
【００２６】
本発明に係る半水石膏粉の汎用水を用いた流動性練和材生成法を、いま述べた本発明に係る半水石膏粉の汎用水を用いた流動性練和材生成用具を用いて実施した。
【流動性練和材生成用具の実施例】
【００２７】
次に、図面を伴って、本発明による半水石膏粉の汎用水を用いた流動性練和材生成用具の実施例を、半水石膏粉の汎用水を用いた歯科用流動性練和材生成用具の実施例をもって、述べよう。
【００２８】
図１〜図５において、Ａは、本発明による半水石膏粉の汎用水を用いた歯科用流動性練和材生成用具の実施例を示し、通常の円椀状でなる汎用椀状体と同様の、置き台２とその上にそれと一体に配されている円椀状の椀状体本体３とを有する汎用椀状体１でなる。
【００２９】
しかしながら、その椀状体本体３は、通常の汎用椀状体とは異なり、形状復帰自在に形状変化させて把持し得且つ透明性乃至半透明性を有する材質と大きさとを有するとともに、外面４に付されている、例えば硬石膏と称されている半水石膏でなる第１種類の半水石膏粉の汎用水を用いた第1種類の歯科用流動性練和材生成用の第１種類の半水石膏粉の計量に対応している 第１種類の汎用水計量用目盛５と、例えば普通石膏と称されている半水石膏でなる第２種類の半水石膏粉の汎用水を用いた第２種類の歯科用流動性練和材生成用の第２種類の半水石膏粉の計量に対応している第２種類の汎用水計量用目盛６とを有する。
この場合、椀状体本体３が、置き台２とともに例えばポリ塩化ビニールのような透明性乃至半透明性を有する可撓性材を用いて、上端面上でみた直径が例えば11〜15cmである大きさに製出されていることによって、形状復帰自在に形状変化させて把持し得且つ透明性乃至半透明性を有する。
【００３０】
また、椀状体本体３の外面４に付されている、第１種類の半水石膏粉の汎用水を用いた第1種類の歯科用流動性練和材生成用の第１種類の半水石膏粉の計量に対応している第１種類の汎用水計量用目盛５は、例えば、図６に示すような通常の汎用水計量用カップと同様の計量用カップ１１を用いたそのすりきり１杯、２杯、３杯及び４杯の第１種類の半水石膏粉の計量にそれぞれ対応している汎用水計量用目盛線５１、５２、５３及び５４からなる。この場合、汎用水計量用目盛線５１、５２、５３及び５４には、第１種類の半水石膏粉の計量をそれぞれ示している１杯、２杯、３杯及び４杯という表示が鏡文字でそれぞれ添えられている。
【００３１】
ここで、計量用カップ１１を用いたそのすりきり１杯、２杯、３杯及び４杯の第１種類の半水石膏粉の計量にそれぞれ対応している汎用水計量用目盛線５１、５２、５３及び５４は、椀状体本体３内で、それに汎用水を汎用水計量用目盛線５１、５２、５３及び５４のレベル丁度まで各別に注入し、次いで、その汎用水の各別の注入に応じて、計量用カップ１１を用いたそのすりきり1 杯、２杯、３杯及び４杯の第１種類の半水石膏粉を各別に投入してから、第１種類の半水石膏粉を汎用水を用いて各別に練和することにより第１種類の歯科用流動性練和材７（図示せず、以下同様。）としての歯科用流動性練和材７１、７２、７３及び７４（図示せず、以下同様。）を各別に生成するとした場合のその第１種類の半水石膏粉の汎用水を用いた各別の練和を行う場合に、第１種類の半水石膏粉に対する汎用水の混水比(重量比、以下同様。)を第１種類の半水石膏粉の汎用水を用いた各別の練和が作業性良く容易・良好に行うことができる、もともとの第１種類の半水石膏粉の物性によって決まる混水比に応じたもともとの第１種類の半水石膏粉の物性によって決まる混水比と同じまたはそれに近い例えば0.24というような混水比を呈するものとすることができるのに十分であって、またそのために、第１種類の歯科用流動性練和材７としての歯科用流動性練和材７１、７２、７３及び７４を各別に用い、それらを各別に印象型に流して、第１種類の歯科用模型８（図示せず、以下同様。）としての歯科用模型８１、８２、８３及び８４（図示せず、以下同様。）を各別に硬化させて製作するとした場合に、（１）その各別の硬化時間(分)を、もともとの第１種類の半水石膏粉の物性によって決まる硬化時間(分)に応じた、もともとの第１種類の半水石膏粉の物性によって決まる硬化時間(分)と同じまたはそれに近い例えば11分というような硬化時間(分)にさせること、（２）その各別の線硬化膨張率(%)(歯科用流動性練和材を印象型に流して硬化を開始させてから２時間後にみた)を、もともとの第１種類の半水石膏粉の物性によって決まる線硬化膨張率(%)に応じた、もともとの第１種類の半水石膏粉の物性によって決まる線硬化膨張率(%)と同じまたはそれに近い例えば0.20 というような線硬化膨張率(%)にさせること、（３）その各別の硬化圧縮強さ(MPa) (歯科用流動性練和材を印象型に流して硬化を開始させてから1時間後にみた)を、もともとの第１種類の半水石膏粉の物性によって決まる硬化圧縮強さ (MPa)に応じた、もともとの第１種類の半水石膏粉の物性によって決まる硬化圧縮強さ (MPa)と同じまたはそれに近い例えば49というような硬化圧縮強さ(MPa)にさせることができるという、椀状体本体３内に注水する椀状体本体３内での汎用水のレベルを各別に表している。
【００３２】
さらに、椀状体本体３の外面４に付されている、第２種類の半水石膏粉の汎用水を用いた第２種類の歯科用流動性練和材生成用の第２種類の半水石膏粉の計量に対応している第２種類の汎用水計量用目盛６は、第１種類の半水石膏粉の汎用水を用いた第1種類の歯科用流動性練和材生成用の第1種類の半水石膏粉の計量に対応している第１種類の汎用水計量用目盛５に準じて、例えば、図６に示されている上述した計量用カップ１１またはそれとは異なる通常の汎用水計量用カップと同様の計量用カップ１２を用いたそのすりきり１杯、２杯、３杯及び４杯の第２種類の半水石膏粉の計量にそれぞれ対応している汎用水計量用目盛線6１、6２、6３及び6４からなる。この場合、汎用水計量用目盛線６１、６２、６３及び６４には、上述した第１種類の汎用水計量用目盛５の汎用水計量用目盛線５１、５２、５３及び５４に１杯、２杯、３杯及び４杯という表示がそれぞれ添えられているのと同様に、第２種類の半水石膏粉の計量をそれぞれ示している１杯、２杯、３杯及び４杯という表示が鏡文字でそれぞれ添えられている。
【００３３】
ここで、計量用カップ１１または１２を用いたそのすりきり１杯分、２杯、３杯及び４杯の第２種類の半水石膏粉の計量にそれぞれ対応している汎用水計量用目盛線6１、6２、6３及び6４は、椀状体本体３内で、それに汎用水を汎用水計量用目盛線6１、6２、6３及び6４のレベル丁度まで各別に注入し、次いで、その汎用水の各別の注入に応じて、計量用カップ１１または１２を用いたそのすりきり1 杯分、２杯分、３杯分及び４杯分の第2種類の半水石膏粉を各別に投入してから、第２種類の半水石膏粉を汎用水を用いて各別に練和することにより第２種類の歯科用流動性練和材９（図示せず、以下同様。）としての歯科用流動性練和材９１、９２、９３及び９４（図示せず、以下同様。）を各別に生成するとした場合のその第２種類の半水石膏粉の汎用水を用いた各別の練和を行う場合に、第２種類の半水石膏粉に対する汎用水の混水比を第２種類の半水石膏粉の汎用水を用いた各別の練和が作業性良く容易に良好に行うことができる、もともとの第２種類の半水石膏粉の物性によって決まる混水比に応じたもともとの第２種類の半水石膏粉の物性によって決まる混水比と同じまたはそれに近い例えば0.5というような混水比を呈するものとすることができるのに十分であって、またそのために、第２種類の歯科用流動性練和材９としての歯科用流動性練和材９１、９２、９３及び９４を各別に用い、それらを各別に印象型に流して、第２種類の歯科用模型１０（図示せず、以下同様。）としての歯科用模型１０１、１０２、１０３及び１０４（図示せず、以下同様。）を各別に硬化させて製作するとした場合に、（１）その各別の硬化時間(分)を、もともとの第２種類の半水石膏粉の物性によって決まる硬化時間(分)に応じた、もともとの第２種類の半水石膏粉の物性によって決まる硬化時間(分)と同じまたはそれに近い例えば１５分というような硬化時間(分)にさせること、（２）その各別の線硬化膨張率(%)(歯科用流動性練和材を印象型に流して硬化を開始させてから２時間後にみた)を、もともとの第２種類の半水石膏粉の物性によって決まる線硬化膨張率(%)に応じた、もともとの第２種類の半水石膏粉の物性によって決まる線硬化膨張率(%)と同じまたはそれに近い例えば0.20
というような線硬化膨張率(%)にさせること、（３）その各別の硬化圧縮強さ (MPa) (歯科用流動性練和材を印象型に流して硬化を開始させてから1時間後にみた)を、もともとの第２種類の半水石膏粉の物性によって決まる硬化圧縮強さ(MPa)に応じたもともとの第２種類の半水石膏粉の物性によって決まる硬化圧縮強さ(MPa)と同じまたはそれに近い例えば１４というような硬化圧縮強さ (MPa)にさせることができるという、椀状体本体３内に注水する椀状体本体３内での汎用水のレベルを各別に表している。
【００３４】
上述したところから、本発明による半水石膏粉の汎用水を用いた歯科用流動性練和材生成用具Ａの実施例における汎用椀状体１が有する椀状体本体３が、形状自在に形状変化させて把持し得且つ透明性乃至半透明性を有する材質と大きさとを有するとともに、外面４に、第１種類の半水石膏粉の汎用水を用いた第1種類の歯科用流動性練和材生成用の第１種類の半水石膏粉の計量に対応している 第１種類の汎用水計量用目盛５と、第２種類の半水石膏粉の汎用水を用いた第２種類の歯科用流動性練和材生成用の第２種類の半水石膏粉の計量に対応している第２種類の汎用水計量用目盛６とを付していると述べたが、本発明による半水石膏粉の汎用水を用いた歯科用流動性練和材生成用具Ａの実施例においては、上述した椀状体本体３が、外面４に、上述したように、第１種類の半水石膏粉の汎用水を用いた第1種類の歯科用流動性練和材生成用の第１種類の半水石膏粉の計量に対応している 第１種類の汎用水計量用目盛５と、第２種類の半水石膏粉の汎用水を用いた第２種類の歯科用流動性練和材生成用の第２種類の半水石膏粉の計量に対応している第２種類の汎用水計量用目盛６とを付している外、一般汎用水計量目盛１３を付しているとともに、歯科用流動性練和材生成法手順説明文１４を付している。
【００３５】
ここで、一般汎用水計量目盛１３は、第１種類の汎用水計量用目盛５及び第２種類の汎用水計量用目盛６のように第１種類の半水石膏粉及び第２種類の半水石膏粉の計量にそれぞれ対応しているというように特定の流体乃至流動体の計量に対応しているというのではなく、一般的に使用の汎用水を計量するための単なる計量目盛を意味し、例えば、汎用水自体の50ml 、100ml 及び150mlの計量に該当している３本の目盛線１３１、１３２及び１３３からなり、そして、それら目盛線１３１、１３２及び１３３には汎用水自体の50ml、100ml 及び150mlの計量が鏡文字でそれぞれ添えられている。
【００３６】
また、歯科用流動性練和材生成法手順説明文１４は、字句どおり、歯科用流動性練和材生成法手順を例えば図１及び図２に「Step 1  汎用水を汎用水計量用目盛に合わせて注水」、「Step 2  半水石膏粉を計量して投入」と鏡文字で示しているような簡明文を意味している。
以上で、本発明による半水石膏粉の汎用水を用いた歯科用流動性練和材生成用具の実施例の構成が明らかとなった。
【流動性練和材生成法の実施例】
【００３７】
次に、本発明による半水石膏粉の汎用水を用いた流動性練和材生成法の実施例を、半水石膏粉の汎用水を用いた歯科用流動性練和材生成法の実施例をもって述べよう。
本発明による半水石膏粉の汎用水を用いた歯科用流動性練和材生成法の実施例は、図１〜図６を伴って本発明による半水石膏粉の汎用水を用いた歯科用流動性練和材生成法の実施例として上述した、椀状体本体３を有する汎用椀状体１でなる半水石膏粉の汎用水を用いた歯科用流動性練和材生成用具Ａ、すなわち、形状復帰自在に形状変化させて把持し且つ透明性乃至半透明性を有する材質と大きさとを有するとともに、外面４に、第１種類の半水石膏粉の汎用水を用いた第１種類の歯科用流動性練和材生成用の第１種類の半水石膏粉の計量に対応している第１種類の汎用水計量用目盛５と、第２種類の半水石膏粉の汎用水を用いた第２種類の歯科用流動性練和材生成用の第２種類の半水石膏粉の計量に対応している第２種類の汎用水計量用目盛６と、歯科用流動性練和材生成法手順説明文１４とを付している椀状体本体３を有する汎用椀状体１でなる歯科用流動性練和材生成用具Ａを用い、その椀状体本体３の外面４に付されている歯科用流動性練和材生成法手順説明文１４の内容を椀状体本体３の内面を椀状体本体３の上方から望むことにより読取・確認して、先ず、
（１）椀状体本体３内に、汎用水を、第１種類の歯科用流動性練和材７としての歯科用流動性練和材７１、７２、７３及び７４を各別に生成するか、または第２種類の歯科用流動性練和材９としての歯科用流動性練和材９１、９２、９３及び９４を各別に生成するかに応じて、当該椀状体本体３の外面４に付されている第１種類の汎用水計量用目盛５としての汎用水計量用目盛５１、５２、５３及び５４のレベル、または第２種類の汎用水計量用目盛６としての汎用水計量用目盛６１、６２、６３及び６４のレベルに、各別に丁度合うように、歯科用流動性練和材生成法手順説明文１４の内容の読取・確認の場合に準じて、椀状体本体３の内面を椀状体本体の上方から望むことにより目視・確認しながら各別に注水し、次に、
（２）椀状体本体３内に、いま各別に注水した汎用水の面上から、いま汎用水を第１種類の汎用水計量用目盛５としての汎用水計量用目盛５１、５２、５３及び５４のレベル、または第２種類の汎用水計量用目盛６としての汎用水計量用目盛６１、６２、６３及び６４のレベルに、各別に丁度合うように、注水したかに応じて、第１種類の半水石膏粉を計量用カップ１１を用いて計量して投入し、または第２種類の半水石膏粉を計量用カップ１１または１２を用いて計量して投入し、次で、
（３）椀状体本体３をそれが形状変化の許容のもとに把持して、椀状体本体３内で、第１種類の半水石膏粉、または第２種類の半水石膏粉を、汎用水を用いて練和して、第１種類の半水石膏粉の汎用水を用いた第１種類の歯科用流動性練和材７としての歯科用流動性練和材７１、７２、７３及び７４を各別に生成し、または第２種類の半水石膏粉の汎用水を用いた第２種類の歯科用流動性練和材９としての歯科用流動性練和材９１、９２、９３及び９４を各別に生成する。
以上で、本発明による半水石膏粉の汎用水を用いた歯科用流動性練和材生成法の実施例が明らかとなった。
【００３８】
上述した本発明による半水石膏粉の汎用水を用いた歯科用流動性練和材生成用具の実施例、及び半水石膏粉の汎用水を用いた歯科用流動性練和材生成法の実施例によれば、上述した本発明による半水石膏粉の汎用水を用いた歯科用流動性練和材生成用具Ａの実施例を用いた、上述した本発明による半水石膏粉の汎用水を用いた歯科用流動性練和材生成法の実施例で述べれば、半水石膏粉の汎用水を用いた歯科用流動性練和材生成用具Ａの汎用椀状体１の椀状体本体３内で、それに汎用水を汎用水計量用目盛線５１、５２、５３及び５４のレベル丁度まで各別に注入し、次いで、その汎用水の各別の注入に応じて、計量用カップ１１を用いたそのすりきり1 杯、２杯、３杯及び４杯の第１種類の半水石膏粉を各別に投入してから、第１種類の半水石膏粉を汎用水を用いて各別に練和することにより、第１種類の歯科用流動性練和材７としての歯科用流動性練和材７１、７２、７３及び７４を各別に生成することができることは明らかである。
【００３９】
そして、この場合、汎用水計量用目盛線５１、５２、５３及び５４が、この場合の練和を行う場合に第１種類の半水石膏粉に対する汎用水の混水比を第１種類の半水石膏粉の汎用水を用いた各別の練和が作業性良く容易・良好に行うことができる、もともとの第１種類の半水石膏粉の物性によって決まる混水比に応じた混水比を呈するものとすることができるのに十分であるという、椀状体本体３内に注水する椀状体本体３内での汎用水のレベルを各別に表しているので、この場合の第１種類の半水石膏粉の汎用水を用いた各別の練和を作業性良く容易・良好に行うことができ、また、このため、第１種類の歯科用流動性練和材７としての歯科用流動性練和材７１、７２、７３及び７４を、高い滑面性とチキソトロピー性を有し且つほとんど内部気泡を有しないものとして、容易に生成することができる。
【００４０】
また、上述したように、汎用水計量用目盛線５１、５２、５３及び５４が、上述した練和を行う場合に第１種類の半水石膏粉に対する汎用水の混水比を第１種類の半水石膏粉の汎用水を用いた各別の練和が作業性良く容易・良好に行うことができる、もともとの第１種類の半水石膏粉の物性によって決まる混水比に応じた混水比を呈するものとすることができるのに十分であるという、椀状体本体３内に注水する椀状体本体３内での汎用水のレベルを各別に表しているために、第１種類の歯科用流動性練和材７としての歯科用流動性練和材７１、７２、７３及び７４を各別に印象型に流して、第１種類の歯科用模型８としての歯科用模型８１、８２、８３及び８４を各別に硬化させて製作するとした場合に、（１）その各別の硬化時間(分)を、もともとの第１種類の半水石膏粉の物性によって決まる硬化時間(分)に応じた硬化時間(分)にさせること、（２）その各別の線硬化膨張率(%)を、もともとの第１種類の半水石膏粉の物性によって決まる線硬化膨張率(%)に応じた線硬化膨張率(%)にさせること、（３）その各別の硬化圧縮強さ(MPa)を、もともとの第１種類の半水石膏粉の物性によって決まる硬化圧縮強さ (MPa)に応じた硬化圧縮強さ(MPa)にさせることができる。
【００４１】
このため、第１種類の歯科用流動性練和材７としての歯科用流動性練和材７１、７２、７３及び７４を各別に印象型に流して、第1種類の歯科用模型8としての歯科用模型8１、8２、8３及び8４を各別に製作するとした場合に、それら歯科用模型８１、８２、８３及び８４を、（１）予定の硬化時間（分）と、（２）予定の線硬化膨張率（％）と、（３）予定の硬化圧縮強さ（MPa）とを以って、各別に、容易に製作することができ、また、上述したように、第１種類の半水石膏粉の汎用水を用いた各別の練和を作業性良く容易・良好に行うことができるため、第１種類の歯科用流動性練和材７としての歯科用流動性練和材７１、７２、７３及び７４を、高い滑面性とチキソトロピー性を有し且つほとんど内部気泡を有しないものとして、各別に、容易に生成することができるので、第1種類の歯科用模型8としての歯科用模型8１、8２、8３及び8４を、滑らかな外表面を有するとともに内部に気泡を有しない優れた特性を有するものとして、各別に、容易に製作することができる。
【００４２】
さらに、歯科用流動性練和材生成用具Ａの汎用椀状体１の椀状体本体３が、それを把持して形状復帰自在に形状変化させることができる材質を有するので、上述した椀状体本体３内での第１種類の半水石膏粉の汎用水を用いた各別の練和を、椀状体本体３をそれが形状変化の許容のもとに把持して、容易に行うことができる。
【００４３】
なおさらに、歯科用流動性練和材生成用具Ａの汎用椀状体１の椀状体本体３に付されている第１の汎用水計量用目盛５が、第１種類の半水石膏粉に対する汎用水の混水比を第１種類の半水石膏粉の汎用水を用いた練和が作業性良く容易・良好に行うことができる、もともとの第１種類の半水石膏粉の物性によって決まる混水比に応じた混水比を呈するものとすることができるのに十分であるという、椀状体本体３内に注水する椀状体本体３内での汎用水のレベルを表している重要な目盛であり、そして、そのような第１の汎用水計量用目盛５が、椀状体本体３の内面ではなく、まさに椀状体本体３の外面４に、鏡文字で付されているので、前述した第１種類の半水石膏粉の汎用水を用いた練和の工程において、その第１種類の汎用水計量用目盛５が不必要に剥離したり磨り減ったりして第１の汎用水計量用目盛５を誤りなく読取・判読することができなくなったりする、ということを有効に回避することができる。
【００４４】
また、いま述べたように、第１の汎用水計量用目盛５が椀状体本体３の外面４に付されているとはいえ、椀状体本体３が透明性乃至半透明性を有する材質を有するために、椀状体本体３の外面4 に付されている第１の汎用水計量用目盛５の内容と第２の汎用水計量用目盛６の内容とを、椀状体本体３の内面を椀状体本体３の上方から望むことによって誤りなく読取・判読することができるので、汎用水を椀状体本体３内に予定の計量された正確な量で注水することができ、よって、歯科用流動性練和材７としての練和材７１、７２、７３及び７４を予定の混和比を有するものとして、各別に精度高く生成することができ、このため、第１種類の半水石膏粉の汎用水を用いた各別の練和をより作業性良く行うことができ、またそれがために、歯科用流動性練和材７としての練和材７１、７２、７３及び７４を精度の高い予定の硬化時間（分）、予定の線硬化膨張率（％）、予定の硬化圧縮強さ（MPa）を有するものとして、効果的に各別に生成することができる。
【００４５】
また、上述においては、本発明による半水石膏粉の汎用水を用いた歯科用流動性練和材生成法の実施例の効果を、第１種類の歯科用流動性練和材７としての練和材７１、７２、７３及び７４を各別に生成する場合で述べたが、第２種類の歯科用流動性練和材９としての練和材９１、９２、９３及び９４を各別に生成する場合でも、詳細説明は省略するが、第１種類の歯科用流動性練和材７としての練和材７１、７２、７３及び７４を各別に生成する場合と同様の効果を得ることができることは明らかである。
【００４６】
さらに、上述した本発明による半水石膏粉の汎用水を用いた歯科用流動性練和材生成用具の実施例によれば、それを用いて、第１の歯科用流動性練和材としての複数の練和材を作業性良く容易に各別に生成することができるとともに、一般汎用水計量目盛を有するので、別途一般汎用水計量器を用意することなしに、必要に応じ、随時、一般的に使用する汎用水を計量することができる。
【００４７】
なおさらに、上述した本発明による半水石膏粉の汎用水を用いた歯科用流動性練和材生成用具の実施例によれば、それを用いて、歯科用流動性練和材を作業性良く容易に生成することができるとともに、歯科用流動性練和材生成法手順説明文を有するので、歯科用流動性練和材を予定の手順で誤りなしに生成することができる。
【本発明に係る流動性練和材生成用具の他の実施例】
【００４８】
上述において、本発明に係る半水石膏粉の汎用水を用いた歯科用流動性練和材生成用具の実施例を図１〜図６を伴って述べたが、図１〜図６に示す本発明に係る半水石膏粉の汎用水を用いた歯科用流動性練和材生成用具の実施例において、（ａ）第１種類の汎用水計量用目盛５及び第２種類の汎用水計量用目盛６中のいずれか１つのみを汎用水計量用目盛として残すが、一般汎用水計量目盛１３及び歯科用流動性練和材生成法手順説明文１４を省略した構成、（ｂ）第１種類の汎用水計量用目盛５及び第２種類の汎用水計量用目盛６を残すが、一般汎用水計量目盛１３及び歯科用流動性練和材生成法手順説明文１４を省略した構成、（ｃ）第１種類の汎用水計量用目盛５及び第２種類の汎用水計量用目盛６中のいずれか１つのみを汎用水計量用目盛として残し、また、一般汎用水計量目盛１３を残すが、歯科用流動性練和材生成法手順説明文１４を省略した構成、（ｄ）第１種類の汎用水計量用目盛５及び第２種類の汎用水計量用目盛６を残し、また、一般汎用水計量目盛１３を残すが、歯科用流動性練和材生成法手順説明文１４を省略した構成、または（ｅ）上記（ａ）、（ｂ）、（ｃ）または（ｄ）の構成において、歯科用流動性練和材生成法手順説明文１４を有する構成を有することを除き、図１〜図６に示す本発明に係る半水石膏粉の汎用水を用いた歯科用流動性練和材生成用具の実施例と同様の構成を、本発明に係る半水石膏粉の汎用水を用いた歯科用流動性練和材生成用具の他の実施例とすることもでき、その他、本発明の精神を脱することなしに、種々の変型、変更をなした構成も、本発明に係る半水石膏粉の汎用水を用いた歯科用流動性練和材生成用具の他の実施例とすることができることは明らかであろう。
【００４９】
また、上述においては、本発明による半水石膏粉の汎用水を用いた流動性練和材生成用具が歯科用であるとして述べたが、上述した流動性練和材生成用具が、歯科用に限らない各種の用途用の各種の流動性練和材生成用具であっても、上述したと同様の優れた効果を得ることができることも明らかであろう。
【本発明に係る流動性練和材生成法の他の実施例】
【００５０】
さらに、上述においては、本発明に係る半水石膏粉の汎用水を用いた歯科用流動性練和材生成法の実施例を、図１〜図６に示す本発明の半水石膏粉の汎用水を用いた歯科用流動性練和材生成用具の実施例を用いた場合で述べたが、図１〜図６に示す本発明に係る半水石膏粉の汎用水を用いた歯科用流動性練和材生成用具の実施例に代え、［本発明に係る流動性練和材生成用具の他の実施例］で上述した本発明に係る半水石膏粉の汎用水を用いた歯科用流動性練和材生成用具の他の実施例を用いたものとすること、さらには、半水石膏粉の汎用水を用いた、歯科用以外の各種の用途用の各種の半水石膏粉の流動性練和材生成用具とすることもできることは明らかであろう。
【産業上の利用可能性】
【００５１】
本発明による半水石膏粉の汎用水を用いた流動性練和材生成用具、及びそれを用いた本発明による半水石膏粉の汎用水を用いた流動性練和材生成法は、流動性練和材を、上述したようにして歯科用模型を製作するためばかりでなく、歯科用模型などの各種模型に対する技工作業においての各種模型の固定のための固定剤を製作するためにも、さらには各種の遺跡などから発掘によって出土する各種の物品の部材乃至破片を接合して各種の物品を復元する場合のその接合用剤を製作するためにも、なおさらには、人体の各種部位をパックして化粧効果を得る場合のパック剤を製作するためにも適用することができる。
【符号の説明】
【００５２】
Ａ    歯科用流動性練和材生成用具
１    汎用椀状体
２    置き台
３    椀状体本体
４    外面
５    第１種類の汎用水計量用目盛
６    第２種類の汎用水計量用目盛
１１、１２    計量用カップ
１３    一般汎用水計量目盛
１４    歯科用流動性練和材生成法手順説明文
【図１】
2014087503.tif 000003
【図２】
2014087503.tif 000004
【図３】
2014087503.tif 000005
【図４】
2014087503.tif 000006
【図５】
2014087503.tif 000007
【図６】
2014087503.tif 000008